【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】
予備形成した繊維質不織ウェブを改良するための方法において、
ａ．初期幅、初期厚さ、初期坪量、ウェブに対して横方向で１０％伸長するための初期荷重で表したウェブに対して横方向での初期低伸長延長性、ウェブに対して横方向で３０％伸長するための初期荷重で表したウェブに対して横方向での初期中間伸長延長性、ウェブに対して横方向の初期強度、及び初期伸長性を持つ、実質的に張力が加わっていない繊維質不織ウェブを、一対の向き合った相互係合したフォーミングロールにウェブ移動方向で供給する工程、
ｂ．相互係合したフォーミングロールの間でこれらのフォーミングロールによって画成されたニップのところでウェブをグリップする工程であって、各フォーミングロールは、軸線方向に間隔が隔てられた周方向に延びる交互の半径方向歯及び介在溝を含み、一方のロールの歯は向き合ったロールの溝と向き合っており且つこれらの溝内に延びる、工程、及び
ｃ．相互係合したフォーミングロール間を不織ウェブが通過するとき及びロールが反対方向に回転して前記ウェブをウェブ移動方向に対して実質的に垂直なウェブに対して横方向で増加延伸するとき、不織ウェブに横方向増加延伸を加えることによって不織ウェブを改良し、ウェブに引張引き出し力をウェブの移動方向で加えることによってウェブを相互係合したフォーミングロール間から引き出す工程であって、結果的に得られた改良ウェブを１０％伸長するための荷重は、１０％伸長するための初期荷重の約５％乃至約１００％であり、３０％伸長するための荷重は、３０％伸長するための初期荷重の約５％乃至約１００％であり、ウェブに対して横方向の強度は、ウェブに対して横方向の初期強度の約１０％乃至約８０％であり、ウェブに対して横方向の伸長性は、ウェブに対して横方向の初期伸長性の約１０５％乃至約２００％である、工程を含む方法。
【請求項２】
請求項１に記載の方法において、結果的に得られた改良ウェブのウェブ幅は、初期ウェブ幅の約２５％乃至約３００％である、方法。
【請求項３】
請求項１に記載の方法において、ウェブの初期ウェブ厚は、約０．１２７ｍｍ乃至約０．５０８ｍｍ（約５ミル乃至約２０ミル）であり、結果的に得られた改良ウェブのウェブ厚は、初期ウェブ厚の約８５％乃至約４００％である、方法。
【請求項４】
請求項１に記載の方法において、結果的に得られた改良ウェブの厚さは、初期ウェブ厚よりも大きく、改良後の坪量はウェブの初期坪量よりも小さい、方法。
【請求項５】
請求項１に記載の方法において、各フォーミングロールの歯及び溝は周方向で連続している、方法。
【請求項６】
請求項１に記載の方法において、少なくとも一方のフォーミングロールの歯は、間隔が隔てられた複数の周方向凹所を含む、方法。
【請求項７】
請求項１に記載の方法において、不織ウェブをポリマーフィルムに面と面とを向き合わせて接合し、複合材料を形成する追加の工程を含む、方法。
【請求項８】
請求項７に記載の方法において、結果的に得られた複合材料は、ＭＶＴＲが約５００ｇ／ｍ2 ／２４時間乃至約５０００ｇ／ｍ2 ／２４時間であり、動的衝撃値が約１０ｇ／ｍ2 よりも小さく、酸素透過速度が約２ｍ3 Ｏ2 ／ｍ2 ／２４時間乃至約２０ｍ3 Ｏ2 ／ｍ2 ／２４時間である、方法。
【請求項９】
請求項８に記載の方法において、前記ポリマーフィルムは、このフィルムに亘って実質的に均等に分散された不相容性無機材料を含み、この無機材料は、炭酸カルシウム、粘土、二酸化チタン、及びこれらの混合物からなる群から選択される、方法。
【請求項１０】
請求項７に記載の方法において、ポリマーフィルムは、通気性のモノリシックフィルムであり、結果的に得られた複合材料は、ＭＶＴＲが約５００ｇ／ｍ2 ／２４時間乃至約５０００ｇ／ｍ2 ／２４時間であり、動的衝撃値が約１０ｇ／ｍ2 よりも小さい、方法。
【請求項１１】
予備形成した繊維質不織ウェブを改良するための方法において、
ａ．初期幅、初期厚さ、初期坪量、ウェブに対して横方向で１０％伸長するための初期荷重で表したウェブに対して横方向での初期低伸長延長性、ウェブに対して横方向で３０％伸長するための初期荷重で表したウェブに対して横方向での初期中間伸長延長性、ウェブに対して横方向の初期強度、及び初期伸長性を持つ、実質的に張力が加わっていない繊維質不織ウェブを、向き合った相互係合した第１の一対のフォーミングロールにウェブ移動方向で供給する工程、
ｂ．相互係合した第１の一対のフォーミングロール間でこれらのフォーミングロールによって画成されたニップのところでウェブをグリップする工程であって、各フォーミングロールは、軸線方向に間隔が隔てられた周方向に延びる交互の半径方向歯及び介在溝を含み、一方のロールの歯は向き合ったロールの溝と向き合っており且つこれらの溝内に延びる、工程、
ｃ．相互係合した第１の一対のフォーミングロール間を不織ウェブが通過するとき及びロールが反対方向に回転して前記ウェブをウェブ移動方向に対して実質的に垂直なウェブに対して横方向で増加延伸するとき、不織ウェブに横方向増加延伸を加えることによって不織ウェブを改良し、ウェブに引張引き出し力をウェブの移動方向で加えることによってウェブを相互係合した第１の一対のフォーミングロール間から引き出す工程、
ｄ．向き合った相互係合した第２の一対のフォーミングロールにウェブ移動方向で供給する工程、
ｅ．相互係合した第２の一対のフォーミングロール間でこれらのフォーミングロールによって画成されたニップのところでウェブをグリップする工程であって、各フォーミングロールは、軸線方向に間隔が隔てられた周方向に延びる交互の半径方向歯及び介在溝を含み、一方のロールの歯は向き合ったロールの溝と向き合っており且つこれらの溝内に延びる、工程、及び
ｆ．相互係合した第２の一対のフォーミングロール間を不織ウェブが通過するとき及びロールが反対方向に回転して前記ウェブをウェブ移動方向に対して実質的に垂直なウェブに対して横方向で増加延伸するとき、不織ウェブに横方向増加延伸を加えることによって不織ウェブを更に改良し、ウェブに引張引き出し力をウェブの移動方向で加えることによってウェブを相互係合した第２の一対のフォーミングロール間から引き出す工程であって、結果的に得られた更に改良されたウェブを１０％伸長するための荷重は、１０％伸長するための初期荷重の約５％乃至約１００％であり、３０％伸長するための荷重は、３０％伸長するための初期荷重の約５％乃至約１００％であり、ウェブに対して横方向の強度は、ウェブに対して横方向の初期強度の約１０％乃至約７０％であり、ウェブに対して横方向の伸長性は、ウェブに対して横方向の初期伸長性の約１０５％乃至約２００％である、工程を含む方法。
【請求項１２】
請求項１１に記載の方法において、二対のフォーミングロールの一方の対を構成する前記フォーミングロールは、周方向で連続した歯及び溝を各々有し、二対のフォーミングロールの他方の対を構成するフォーミングロールの歯は、間隔が隔てられた複数の周方向凹所を含む、方法。
【請求項１３】
請求項１１に記載の方法において、工程ｅを行う前に改良不織ウェブをポリマーフィルムに面と面とを向き合わせた関係で接合し、複合材料を形成する追加の工程を含む、方法。
【請求項１４】
請求項１３に記載の方法において、結果的に得られた複合材料は、ＭＶＴＲが約５００ｇＨ2 Ｏ／ｍ2 ／２４時間乃至約５０００ｇＨ2 Ｏ／ｍ2 ／２４時間であり、動的衝撃値が約１０ｇ／ｍ2 よりも小さく、酸素透過速度が約２ｍ3 Ｏ2 ／ｍ2 ／２４時間乃至約２０ｍ3 Ｏ2 ／ｍ2 ／２４時間である、方法。
【請求項１５】
請求項１４に記載の方法において、前記ポリマーフィルムは、このフィルムに亘って実質的に均等に分散された不相容性無機材料を含み、この無機材料は、炭酸カルシウム、粘土、二酸化チタン、及びこれらの混合物からなる群から選択され、接合された改良不織ウェブ及びポリマーフィルムを相互係合した第２の一対のフォーミングロール間に通し、フィルムに引張力を加えてポリマー母材を延伸し、熱可塑性ポリマーを不相容性材料から局部的に分離し、フィルムに微孔を形成する、方法。
【請求項１６】
請求項１３に記載の方法において、前記ポリマーフィルムは通気性モノリシックフィルムであり、結果的に得られた複合材料は、ＭＶＴＲが約５００ｇＨ2 Ｏ／ｍ2 ／２４時間乃至約５０００ｇＨ2 Ｏ／ｍ2 ／２４時間であり、動的衝撃値が約１０ｇ／ｍ2 よりも小さい、方法。
【請求項１７】
改良不織構成部材及び弾性構成部材を含む複合弾性材料を形成するための方法において、
ａ．初期伸長性を持つ、実質的に張力が加わっていない予備成形した繊維質不織ウェブを、向き合った相互係合した第１の一対のフォーミングロールにウェブ移動方向で供給する工程、
ｂ．相互係合した第１の一対のフォーミングロール間でこれらのフォーミングロールによって画成されたニップのところでウェブをグリップする工程であって、各フォーミングロールは、軸線方向に間隔が隔てられた周方向に延びる交互の半径方向歯及び介在溝を含み、一方のロールの歯は向き合ったロールの溝と向き合っており且つこれらの溝内に延びる、工程、
ｃ．相互係合した第１の一対のフォーミングロール間を不織ウェブが通過するとき及びロールが反対方向に回転して前記ウェブをウェブ移動方向に対して実質的に垂直なウェブに対して横方向で増加延伸するとき、不織ウェブに横方向増加延伸を加えることによって不織ウェブを改良し、ウェブに引張引き出し力をウェブの移動方向で加えることによってウェブを相互係合した第１の一対のフォーミングロール間から引き出す工程であって、改良されたウェブのウェブに対して横方向での伸長性は、ウェブに対して横方向での初期伸長性の約５０％乃至約２００％である工程、及び
ｄ．弾性ウェブを改良不織ウェブに接合し、複合弾性材料を形成する工程を含む、方法。
【請求項１８】
請求項１７に記載の方法において、結果的に得られた複合弾性材料を約５０％乃至２００％延長するときの力は、弾性ウェブだけを約５０％乃至２００％延長したときの力よりも、約４０％よりも小さい値だけ大きい、方法。
【請求項１９】
請求項１８に記載の方法において、結果的に得られた複合弾性材料を約５０％乃至２００％延長するときの力は約２３６．２２０ｇ／ｃｍ（約６００ｇ／インチ）よりも小さい、方法。
【請求項２０】
請求項１７に記載の方法において、結果的に得られた複合弾性材料は通気性である、方法。
【請求項２１】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品は、請求項１に記載の方法に従って改良した不織ウェブをエレメントとして含む構成部材を含む、使い捨て吸収物品。
【請求項２２】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品の前記バックシートは、請求項８に記載の方法に従って製造された複合材料を含む、使い捨て吸収物品。
【請求項２３】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品の前記バックシートは、請求項１０に記載の方法に従って製造された複合材料を含む、使い捨て吸収物品。
【請求項２４】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品は、請求項１１に記載の方法に従って更に改良した不織ウェブをエレメントとして含む構成部材を含む、使い捨て吸収物品。
【請求項２５】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品の前記バックシートは、請求項１４に記載の方法に従って製造された複合材料を含む、使い捨て吸収物品。
【請求項２６】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品の前記バックシートは、請求項１６に記載の方法に従って製造された複合材料を含む、使い捨て吸収物品。
【請求項２７】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品は、請求項１７に記載の方法に従って製造した複合弾性材料をエレメントとして含む構成部材を含む、使い捨て吸収物品。
【請求項２８】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品は、請求項１８に記載の方法に従って製造した複合弾性材料をエレメントとして含む構成部材を含む、使い捨て吸収物品。
【請求項２９】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品は、請求項１９に記載の方法に従って製造した複合弾性材料をエレメントとして含む構成部材を含む、使い捨て吸収物品。
【請求項３０】
着用される使い捨て吸収物品であって、この物品の着用時に着用者の身体に面する流体透過性トップシート、前記物品の着用時に着用者の身体から遠ざかる方を向いた実質的に液体不透過性のバックシート、及び前記トップシートと前記バックシートとの間に配置された吸収コアを含む、使い捨て吸収物品において、前記物品は、請求項２０に記載の方法に従って製造した複合弾性材料をエレメントとして含む構成部材を含む、使い捨て吸収物品。